(57)【要約】【課題】非接続のコネクタの存在により生じる不要な電磁波の輻射及び外部からの不要な電磁波、電撃による影響を防止する。【解決手段】種類の異なる電子内視鏡１１，１２に対応して複数のコネクタ受け部１５，１６を備えたプロセッサ装置１４において、電源投入時に通信回路２３Ａ，２３Ｂによる通信によってコネクタ受け部１５，１６での電子内視鏡１１，１２の接続／非接続を判断し、非接続のコネクタ受け部（１５又は１６）を切換えスイッチ回路（２４又は２６）によって内部回路から分離し、かつグランド２７に接地する。また、この分離・接地と同時に、非接続のコネクタ受け部（１５又は１６）に接続される個別の回路への電源供給を電源制御回路２９によって停止する。【選択図】  図１
2004236738.tif 000002
【特許請求の範囲】
【請求項１】
複数の電子内視鏡のコネクタを接続する複数のコネクタ受け部を備えた電子内視鏡用プロセッサ装置において、
上記複数のコネクタ受け部の内、上記電子内視鏡が接続されていないコネクタ受け部側の電気接続線を装置内回路から分離し、かつグランドに接地する分離・接地回路を設けたことを特徴とする電子内視鏡用プロセッサ装置。
【請求項２】
電源投入時に上記複数のコネクタ受け部に対し通信を行うことにより上記電子内視鏡の接続／非接続を判断し、この判断に基づいて上記分離・接地回路は非接続コネクタ受け部の上記分離及び接地を実行することを特徴とする上記請求項１記載の電子内視鏡用プロセッサ装置。
【請求項３】
接続される上記電子内視鏡に対応し上記複数のコネクタ受け部のそれぞれに個別の回路を備えるときは、非接続のコネクタ受け部側の個別の回路の動作を停止させることを特徴とする上記請求項１又は２記載の電子内視鏡用プロセッサ装置。
【請求項４】
上記分離・接地回路と装置内回路との間に設けられ、この分離・接地回路の動作に連動して上記装置内回路への電気接続線を切断する２段目分離回路を設けたことを特徴とする上記請求項１乃至３記載の電子内視鏡用プロセッサ装置。
【発明の詳細な説明】
【０００１】
【発明の属する技術分野】
本発明は電子内視鏡用プロセッサ装置、特に複数の電子内視鏡を接続可能にする複数のコネクタ受け部を備えたプロセッサ装置における不要電磁波対策のための構成に関する。
【０００２】
【従来の技術】
電子内視鏡装置は、電子内視鏡（電子スコープ）の挿入部先端に配置したＣＣＤ（Ｃｈａｒｇｅ  Ｃｏｕｐｌｅｄ  Ｄｅｖｉｃｅ）等の固体撮像素子によって被観察体内を撮像しており、このＣＣＤの撮像信号がプロセッサ装置へ供給される。このプロセッサ装置では、各種の信号処理を施した映像信号が形成され、この映像信号がモニタへ出力されることにより、モニタ画面上で被観察体を観察することができるようになっている。
【０００３】
この電子内視鏡装置に用いられるプロセッサ装置は、従来から一つの電子内視鏡のみを接続するように構成されているが、近年では、性能の異なるもの、適用部位の異なるもの、新旧のもの等の各種の電子内視鏡の存在に対応し、プロセッサ装置に複数のコネクタ及び信号処理回路を設け、各種の電子内視鏡を一つのプロセッサ装置に接続することが提案されている。これによれば、種類の異なる電子内視鏡に対応するプロセッサ装置の共用化が実現でき、使い勝手の向上、コストの低減が図れるという利点がある。
【０００４】
【特許文献１】
特開平９−３０８６０６号公報
【特許文献２】
特許第３２８８４１２号公報
【０００５】
【発明が解決しようとする課題】
しかしながら、プロセッサ装置に複数のコネクタを用いて各種の電子内視鏡が接続可能になる構成とする場合は、非接続又は不使用のコネクタ（受け部）から不要な電磁波（ノイズ）を外部へ輻射したり、逆に外部からの不要な電磁波、電撃をコネクタで拾ったりするという問題がある。そして、上記コネクタで受ける外部からの電磁波、電撃に対しては、保護ダイオード等を用いて内部回路を保護することが可能であるが、不要な電磁波の輻射についてはこのような保護用回路素子によって防止することはできない。
【０００６】
本発明は上記問題点に鑑みてなされたものであり、その目的は、非接続のコネクタの存在により生じる不要な電磁波の輻射及び外部からの不要な電磁波、電撃による影響を防止する電子内視鏡用プロセッサ装置を提供することにある。
【０００７】
【課題を解決するための手段】
上記目的を達成するために、請求項１に係る発明は、複数の電子内視鏡のコネクタを接続する複数のコネクタ受け部を備えた電子内視鏡用プロセッサ装置において、上記複数のコネクタ受け部の内、上記電子内視鏡が接続されていないコネクタ受け部側の電気接続線を装置内回路から分離（切断）し、かつグランドに接地する分離・接地回路を設けたことを特徴とする。
請求項２に係る発明は、電源投入時に上記複数のコネクタ受け部に対し通信を行うことにより上記電子内視鏡の接続／非接続を判断し、この判断に基づいて上記分離・接地回路は非接続コネクタ受け部の上記分離及び接地を実行することを特徴とする。
【０００８】
請求項３に係る発明は、接続される上記電子内視鏡に対応し上記複数のコネクタ受け部のそれぞれに個別の回路を備えるときは、非接続のコネクタ受け部側の個別の回路の動作を停止させることを特徴とする。
請求項４に係る発明は、上記分離・接地回路と装置内回路との間に設けられ、この分離・接地回路の動作に連動して上記装置内回路への電気接続線を切断する２段目分離回路を設けたことを特徴とする。
【０００９】
上記の構成によれば、例えばプロセッサ装置の電源投入時に複数のコネクタ受け部に対し通信が行われ、これにより各コネクタ受け部での電子内視鏡の接続／非接続が判断されることになり、その後、非接続のコネクタ受け部については、その受け部側の電気接続線が分離・接地回路により装置内回路から切断され、かつグランドへ接続される。
【００１０】
また、上記複数のコネクタ受け部のそれぞれに個別の回路を備える場合、上記の分離、接地の動作と同時に、非接続のコネクタ受け部側に接続されている個別の回路の動作を停止すれば、電磁波発生源自体がなくなり、不要電磁波（ノイズ）の輻射を確実に防止することが可能になる。
更に、上記分離・接地回路に加えて、装置内回路への電気接続線を切断する２段目分離回路を設け、これによってコネクタ受け部の電気的分離の効果を高めることもできる。
【００１１】
【発明の実施の形態】
図１には、第１実施例に係る電子内視鏡用プロセッサ装置の構成が示され、図２には電子内視鏡装置の全体の構成が示されている。まず、図２に示されるように、実施例では、種類の異なる二つの電子内視鏡（電子スコープ）１１と電子内視鏡１２がプロセッサ装置１４に接続できるように構成されているものとする。上記の電子内視鏡１１，１２は、先端部にＣＣＤ（Ｃｈａｒｇｅ  Ｃｏｕｐｌｅｄ  Ｄｅｖｉｃｅ）が配置された挿入部１１ａ，１２ａ、操作部１１ｂ，１２ｂ、プロセッサ側ケーブル１１ｃ，１２ｃを有し、このプロセッサ側ケーブル１１ｃに丸型コネクタ（差込み部側）１１ｄ、他方のプロセッサ側ケーブル１２ｃに平型コネクタ（差込み部側）１２ｄが設けられている。
【００１２】
一方、上記プロセッサ装置１４には、電子内視鏡１１の丸型コネクタ１１ｄを受ける第１コネクタ受け部１５、電子内視鏡１２の平型コネクタ１２ｄを受ける第２コネクタ受け部１６が設けられており、当該実施例はコネクタ形状を変えることで２つの電子内視鏡１１，１２の誤接続を防止する。また、このプロセッサ装置１４には、被観察体を表示するモニタ１７が接続される。なお、この図２では光源装置に関する構成を省略しているが、光源装置からの光が電子内視鏡１１，１２内のライトガイドを介して先端部から被観察体へ照射される。
【００１３】
図１において、プロセッサ装置１４内には、一方の電子内視鏡１１のための回路として、電子内視鏡先端部のＣＣＤを駆動する第１駆動回路２０Ａ、ビデオ信号の各種の処理をする第１信号処理回路２１Ａ、バッファ回路２２Ａ、通信回路２３Ａなどが設けられ、これらの内部回路が切換えスイッチ回路（分離・接地回路）２４を介して上記第１コネクタ受け部１５に接続される。また、他方の電子内視鏡１２のための回路として、ＣＣＤを駆動する第２駆動回路２０Ｂ、ビデオ信号の各種の処理をする第２信号処理回路２１Ｂ、バッファ回路２２Ｂ、通信回路２３Ｂ等が設けられ、これらの内部回路が切換えスイッチ回路（分離・接地回路）２６を介して上記第２コネクタ受け部１６に接続される。
【００１４】
上記通信回路２３Ａ，２３Ｂは、第１コネクタ受け部１５，第２コネクタ受け部１６に対し、接続されるべき電子内視鏡１１，１２へ向けた通信信号を送信し、電子内視鏡１１，１２からの応答信号を受信することになる。
【００１５】
また、上記の切換えスイッチ回路２４，２６は、図示されるように、プロセッサ装置１４内の上述した各内部回路（電源を含む）に接続された端子ａと、グランド（ＧＮＤ）２７に接続・接地するための端子ｂとを有し、これらの端子ａ，ｂへの接続を切り換えることにより、第１及び第２のコネクタ受け部１５，１６を内部回路（２０Ａ，Ｂ〜２３Ａ，Ｂ等）又はグランド２７のいずれかに接続する。
【００１６】
更に、プロセッサ装置１４内には、上記切換えスイッチ回路２４，２６を制御する制御回路２８、各回路への電源の供給制御を行う電源制御回路２９、全体の回路を統括制御するＣＰＵ３０が設けられる。このＣＰＵ３０は、上記通信回路２３Ａ，２３Ｂの受信状況に基づいて、第１及び第２のコネクタ受け部１５，１６における電子内視鏡１１，１２の接続／非接続が判断され、非接続のコネクタ受け部（１５又は１６）に対する分離・接地への切替え指令を制御回路２８へ出力し、また非接続のコネクタ受け部（１５又は１６）側の回路への電源停止指令（回路動作停止指令）を電源制御回路２９へ出力する。
【００１７】
また、上記信号処理回路２１Ａ，２１Ｂ内には、キャラクタジェネレータ等が設けられており、当該例では上記の電子内視鏡１１，１２の接続状態の判断に基づき、所定のメッセージ画像をモニタ１７に表示することが可能になっている。例えば、両方のコネクタ受け部１５，１６に電子内視鏡１１，１２が接続されている場合は、接続エラーのメッセージ或いは予め選択されている使用可能な一つの電子内視鏡を示すメッセージを形成し、モニタ１７に出力する。また、正常に電子内視鏡１１，１２のいずれか一方が接続されている場合に、接続されている電子内視鏡１１又は１２を特定（種類等）する情報メッセージを出力することもできる。
【００１８】
第１実施例は以上の構成からなり、図１のプロセッサ装置１４の電源を入れると、通信回路２３Ａ，２３Ｂによって第１及び第２のコネクタ受け部１５，１６に対し個々の電子内視鏡への通信信号が送出される。ここで、電子内視鏡１１が第１コネクタ受け部１５に接続され、第２コネクタ受け部１６は非接続であるとすると、通信回路２３Ａでは電子内視鏡１１からの応答信号が受信され、通信回路２３Ｂでは応答信号が受信できないことになり、この受信状態からＣＰＵ３０ではコネクタ接続の状態が判断される。
【００１９】
その後、このＣＰＵ３０からは制御回路２８に対し非接続の第２コネクタ受け部１６の分離・接地の指令が出力されることになり、この制御回路２８を介して切換えスイッチ回路２６が動作し、端子ａから端子ｂへ接続が切り換えられる。この結果、第２コネクタ受け部１６（の電気接続線）は、内部回路から切断され、グランド２７へ接地される。この結果、非接続の第２コネクタ受け部１６は、内部回路から完全に分離され、外部へ不要な電磁波（ノイズ）を輻射することがなく、第２コネクタ受け部１６で受信した電磁波、電撃もグランド２７へ落とされることになる。
【００２０】
また同時に、上記ＣＰＵ３０から非接続のコネクタ受け部１６側の内部回路の電源停止指令が電源制御回路２９へ出力されており、この電源制御回路２９によって第２駆動回路２０Ｂ、第２信号処理回路２１Ｂ、通信回路２３Ｂ等への電源供給が停止される。これによれば、電子内視鏡１２のために設けられた回路が動作しなくなるので、不要電磁波の発生、輻射を確実に防止することが可能となる。なお、この電源供給の停止を特にノイズ発生源となる回路のみに限定してもよい。
【００２１】
上記第１実施例の説明では、電子内視鏡１１が接続され、電子内視鏡１２が非接続の場合を説明したが、逆に電子内視鏡１１が非接続となる場合は、切換えスイッチ回路２４の切り換えによって第１コネクタ受け部１５が内部回路から分離され、接地されることになる。そして、上述した通信回路２３Ａ，２３Ｂによる通信の結果、両方の電子内視鏡１１，１２が接続されていると判断されたとき（両方が非接続の場合も同様）には、接続エラーのメッセージがモニタ１７上に表示される。また、このプロセッサ装置１４では、両方の電子内視鏡１１，１２の接続がある場合に一方を自動的に有効にするように設定することもでき、この場合は予め選択、設定されている電子内視鏡が使用可能である旨のメッセージが表示される。
【００２２】
図３には、第２実施例の構成が示されており、この第２実施例は第１及び第２コネクタ受け部１５，１６の分離・切断を２段で行うようにしたものである。図３に示されるように、この第２実施例では、第１実施例の切換えスイッチ回路２４，２６と同様の第１段切換えスイッチ回路（分離・接地回路）３２，３３と、内部回路側への電気線を接続（ＯＮ）／切断（ＯＦＦ）する第２段切換えスイッチ回路（切断回路）３４，３５を設け、これらの回路３２〜３５を制御回路３６で切換え制御できるようにする。
【００２３】
このような第２実施例によれば、例えば電子内視鏡１１側のコネクタ受け部１５が非接続のとき、第１段切換えスイッチ回路３２内の接続が端子ａから端子ｂへ切り換えられると共に、第２段切換えスイッチ３４がＯＦＦに切り換えられ、コネクタ受け部１６が非接続のときは、第１段切換えスイッチ回路３３の接続が端子ａから端子ｂへ切り換えられると共に、第２段切換えスイッチ３５がＯＦＦに切り換えられる。この２段の切断によれば、第１及び第２のコネクタ受け部１５，１６と内部回路側との電気的分離状態を第１実施例に比較して高めることができるという利点がある。
【００２４】
【発明の効果】
以上説明したように、本発明によれば、各種の電子内視鏡に対応して複数のコネクタ受け部を備えたプロセッサ装置において、例えば通信の実行によって複数のコネクタ受け部での電子内視鏡の接続／非接続を判断し、分離・接地回路によって電子内視鏡が接続されていないコネクタ受け部側の電気接続線を装置内回路から分離しかつグランドに接地するようにしたので、非接続のコネクタ受け部から不要な電磁波を輻射することが防止され、また外部からの不要な電磁波、電撃によって内部回路が影響を受けることもない。
【００２５】
また、各コネクタ受け部に対し個別の回路が配置される場合は、上記の分離・接地と同時に、非接続コネクタ受け部側の個別の回路の動作を停止してもよく、更には上記分離・接地回路と２段目分離回路の２段構成でコネクタ受け部を分離してもよく、これらの構成によれば、不要な電磁波の輻射及び不要な電磁波、電撃による内部回路への影響の防止効果を高めることができるという利点がある。
【図面の簡単な説明】
【図１】本発明の第１実施例に係る電子内視鏡用プロセッサ装置の構成を示す回路図である。
【図２】実施例のプロセッサ装置を適用する電子内視鏡装置の全体の構成を示す説明図である。
【図３】本発明の第２実施例に係る電子内視鏡用プロセッサ装置の構成を示す回路図である。
【符号の説明】
１１，１２…電子内視鏡、
１１ｄ，１２ｄ…コネクタ、
１４…プロセッサ装置、
１５…第１コネクタ受け部、
１６…第２コネクタ受け部、
２３Ａ，２３Ｂ…通信回路、
２４，２６…切換えスイッチ回路（分離・接地回路）、
２９…電源制御回路、
３２，３３…第１段切換えスイッチ回路（分離・接地回路）、
３４，３５…第２段切換えスイッチ回路（２段目分離回路）。
【図１】
2004236738.tif 000003
【図２】
2004236738.tif 000004
【図３】
2004236738.tif 000005